(57)【要約】【課題】効率よく設置位置を確保し、かつ保管期間には施錠され、災害時には被災者等が開錠可能な防災用品収容具を提供する。【解決手段】本発明は、自動販売機２に取り付けられる防災用品収容具１であり、防災用品を収納可能な箱体３と、特定の開錠符号を入力することで開錠可能な鍵機構９と、前記開錠符号を視覚的または聴覚的に表すことが可能な符号表示手段４と、災害時に開錠符号を表示させるように符号表示手段４を制御する制御手段６と、を有している。【選択図】図１
2010250390.tif 000002
【特許請求の範囲】
【請求項１】
自動販売機に取り付けられて防災用品を収納可能な箱体を有する防災用品収容具。
【請求項２】
前記箱体の扉に設けられて特定の開錠符号を入力することで開錠可能な鍵機構と、
前記開錠符号を視覚的または聴覚的に表すことが可能な符号表示手段と、を有する請求項１に記載の防災用品収容具。
【請求項３】
前記自動販売機への電源供給が絶たれた際に前記符号表示手段に電源を供給可能な内部バッテリーを更に有する請求項２に記載の防災用品収容具。
【請求項４】
前記自動販売機への電源供給が絶たれた際に前記符号表示手段を作動させる制御手段を更に有する請求項３に記載の防災用品収容具。
【請求項５】
インターネット経由で信号を受信して、当該信号に基づいて前記符号表示手段を作動させる制御手段を更に有する請求項２または３に記載の防災用品収容具。
【発明の詳細な説明】
【技術分野】
【０００１】
本発明は、防災用品収容具に関し、特に、災害時に開くことが可能となる防災用品収容具に関する。
【背景技術】
【０００２】
天災や人災等の災害時には、被災した地域住民が公園等の避難場所に避難することから、避難場所に防災用具を保管する防災倉庫を設置したり、倉庫よりも小さいが防災用具を収納可能な収納具を設置することが役立っている（例えば、特許文献１参照）。
【０００３】
特許文献１に記載の収納具は、公園等の設置面に固定される筐体を有しており、この筐体の内部に防災用具を収納している。災害時には、筐体に設けられる蓋部を外すことで、内部の防災用具を取り出すことが可能な構造となっている。
【先行技術文献】
【特許文献】
【０００４】
【特許文献１】特開２００２−２２５９７０号公報
【発明の概要】
【発明が解決しようとする課題】
【０００５】
しかしながら、特許文献１に記載の収納具は、単体として設置されるため、設置位置の確保が必要となる。さらに、蓋部をいつでも取り外すことが可能であるため、災害が発生する前の保管期間に、内部の防災用品を盗難等によって紛失する虞がある。
【０００６】
本発明は、上記の課題を解決するためになされたものであり、効率よく設置位置を確保し、かつ保管期間には施錠され、災害時には被災者等が開錠可能な防災用品収容具を提供することを目的とする。
【課題を解決するための手段】
【０００７】
上記目的は、下記（１）〜（５）に記載の発明により達成される。
【０００８】
（１）自動販売機に取り付けられて防災用品を収納可能な箱体を有する防災用品収容具である。
【０００９】
（２）前記箱体の扉に設けられて特定の開錠符号を入力することで開錠可能な鍵機構と、前記開錠符号を視覚的または聴覚的に表すことが可能な符号表示手段と、を有する上記（１）に記載の防災用品収容具である。
【００１０】
（３）前記自動販売機への電源供給が絶たれた際に前記符号表示手段に電源を供給可能な内部バッテリーを更に有する上記（２）に記載の防災用品収容具である。
【００１１】
（４）前記自動販売機への電源供給が絶たれた際に前記符号表示手段を作動させる制御手段を更に有する上記（３）に記載の防災用品収容具である。
【００１２】
（５）インターネット経由で信号を受信して、当該信号に基づいて前記符号表示手段を作動させる制御手段を更に有する上記（２）または（３）に記載の防災用品収容具である。
【発明の効果】
【００１３】
上記（１）に記載の発明によれば、自動販売機に箱体が取り付けられるため、通常使用されない場所を有効に利用して防災用品を保管することができる。また、自動販売機とともに防災用品収容具の保守管理が可能であるため、効率のよい管理が可能となる。
【００１４】
また、上記（２）に記載の発明によれば、開錠符号を、符号表示手段により視覚的または聴覚的に表すことが可能であるため、災害が発生した際に開錠符号を表すことができる。したがって、防災用品の保管期間には施錠された状態を保ち、災害が発生した際には被災者等が開錠可能な防災用品収容具を実現できる。これにより、災害が発生する前の保管期間に、内部の防災用品を盗難等によって紛失することを予防できる。
【００１５】
また、上記（３）に記載の発明によれば、自動販売機への電源供給が絶たれた際に符号表示手段に電源を供給可能な内部バッテリーを有するため、災害が発生して電源供給が絶たれても、符号表示手段を作動させることができる。
【００１６】
また、上記（４）に記載の発明によれば、自動販売機への電源供給が絶たれた際に符号表示手段を作動させる制御手段を有するため、電源供給が絶たれたことから災害の発生を判別し、符号表示手段を作動させることができる。
【００１７】
また、上記（５）に記載の発明によれば、インターネット経由で信号を受信して、当該信号に基づいて符号表示手段を作動させる制御手段を有するため、災害が発生した際に、遠隔操作で符号表示手段を作動させることができる。
【図面の簡単な説明】
【００１８】
【図１】第１実施形態に係る防災用品収容具が搭載された自動販売機を表面上方から観察した斜視図である。
【図２】第１実施形態に係る防災用品収容具が搭載された自動販売機を裏面上方から観察した斜視図である。
【図３】第１実施形態に係る防災用品収容具の箱体を表面上方から観察した斜視図である。
【図４】第１実施形態における箱体を裏面下方から観察した斜視図である。
【図５】第１実施形態における箱体の扉を開く際を示す斜視図である。
【図６】第１実施形態における箱体に収まるコンテナを示す斜視図である。
【図７】第２実施形態に係る防災用品収容具が搭載された自動販売機を表面上方から観察した斜視図である。
【図８】第３実施形態に係る防災用品収容具が搭載された自動販売機を表面上方から観察した斜視図である。
【図９】第４実施形態に係る防災用品収容具が搭載された自動販売機を表面上方から観察した斜視図である。
【図１０】第４実施形態における箱体の扉を開く際を示す斜視図である。
【図１１】防災用品収容具が自動販売機の横に設置された例を示す斜視図である。
【発明を実施するための形態】
【００１９】
以下、図面を参照しながら、本発明の実施の形態を説明する。
【００２０】
＜第１実施形態＞
図１は、本発明の第１実施形態に係る防災用品収容具が搭載された自動販売機を表面上方から観察した斜視図、図２は、同自動販売機を裏面上方から観察した斜視図である。図３は、第１実施形態に係る防災用品収容具の箱体を表面上方から観察した斜視図、図４は、同箱体を裏面下方から観察した斜視図である。図５は、同箱体の扉を開く際を示す斜視図、図６は、同箱体に収まるコンテナを示す斜視図である。
【００２１】
本発明の第１実施形態に係る防災用品収容具１は、図１および２に示すように、自動販売機２の上に設置される箱体３と、符号表示手段として視覚的に符号を表示する電光掲示板４と、電光掲示板４へ電力を供給する内部バッテリー５と、内部バッテリー５を制御する制御手段６とを有している。
【００２２】
箱体３は、図３〜５に示すように、自動販売機２の表面と一致する面に開口部７を有し、この開口部７に扉８が設けられて開閉可能となっている。箱体３の内部には、防災用品を収容可能である。扉８は、扉８の下端が丁番等（不図示）によって箱体３に回転可能に連結されており、表側の上部に、鍵機構９を取り付け可能な環状部材１０が固定されている。
【００２３】
箱体３の上面の表側（扉側）には、ヒンジ機構を備えて回動可能な鍵取付部材１２が連結されている。鍵取付部材１２は、回動することで、閉じた状態の扉８の表面に対して近接離間可能であり、扉８に設けられる環状部材１０が挿通可能な孔部１３を有している。
【００２４】
箱体３の側面には、外方向へ突出して形成される突出部１４が設けられており、この突出の下方側に通気孔１５が設けられる。通気孔１５を下方側に形成することで、水の浸入を低減することができる。
【００２５】
箱体３および扉８は、金属や樹脂等の種々の材料により作製することができるが、屋外に設置して風雨に曝される場合には、ステンレスにより作製することが好ましい。また、屋内に設置する際には、費用を削減するために、鉄板に樹脂をコーティングさせた板材により作製することが好ましい。
【００２６】
鍵機構９は、複数段のダイヤルを回転させて、特定の開錠符号（合わせ数字）を入力することで開錠可能なダイヤル式符号錠であり、一般的に使用されるものである。なお、鍵機構９として、他の構造を適用することも可能であり、例えばプッシュ式符号錠や、箱体３や扉８に固定的に設けられた符号錠等でもよい。また、鍵の構造は、シリンダー錠やタンブラー錠等を適用できるが、これらの構造に限定されない。
【００２７】
電光掲示板４は、自動販売機２の表側に取り付けられている。電光掲示板４の光源には、ＬＥＤや電球等が適用できるが、発光するものであれば、光源は限定されない。
【００２８】
内部バッテリー５は、自動販売機２の内部に設置される。内部バッテリー５は、自動販売機２が備える電源ケーブル１６に接続されることで、充電が可能となっている。内部バッテリー５は、表示用電源ケーブル１７により電光掲示板４と接続されており、電光掲示板４へ電力を供給可能となっている。なお、内部バッテリー５は、電力が供給されて充電される２次電池であるが、充電されない１次電池とすることもできる。
【００２９】
制御手段６は、自動販売機２の内部に設けられており、予め設定された条件に応じて、内部バッテリー５から電光掲示板４への電力を供給する切り換えスイッチを備えている。また、制御手段６は、開錠符号を電子データとして格納しており、特定の条件を満たす場合に、開錠符号を表示させるための信号を信号ケーブル２０を介して電光掲示板４に送信する。なお、内部バッテリー５および制御手段６は、箱体３に設けることもできる。また、電光掲示板４を箱体３や扉８に取り付けることも可能である。また、開錠符号を電子データとして格納する記憶装置を、制御手段６とは別に設けてもよい。
【００３０】
電光掲示板４は、内部バッテリー５だけでなく、自動販売機２が備える電源ケーブル１６へ接続されてもよい。このような構造であれば、災害が発生する前の通常の状態において、電光掲示板４を他の用途として使用できる。
【００３１】
箱体３の裏面側（扉側の反対側）には、箱体３を自動販売機２に固定するためのクランク型の固定部材１８が、ネジやボルト等によって固定されている。なお、固定する方法は限定されず、例えば溶接等により固定してもよい。固定部材１８は、自動販売機２の裏面にも、ネジやボルト等によって固定される。この際の固定方法も、特に限定されない。固定部材１８は、自動販売機２の種類に合わせて、適宜異なる形状とすることが好ましい。
【００３２】
箱体３の底面側（自動販売機２の上面と接する側）には、自動販売機２の上面に接する設置部材１９が四隅に固定されている。設置部材１９は、自動販売機２を傷つけず、かつ箱体３の滑りを防止するために、ゴムや樹脂により形成されることが好ましいが、必ずしもこれらの材料に限定されない。また、かならずしも設置部材１９が設けられなくてもよい。
【００３３】
箱体３の内部には、図６に示すように、２つのコンテナ１１を収容可能である。コンテナ１１は、扉８が開いた際の開口部７から並べて収容でき、個別に引き出すことができる。コンテナ１１は、例えばポリプロン製であり、耐熱温度は約１２０度である。コンテナ１１には、一般的に流通しているコンテナを適用することができる。なお、収容されるコンテナ１１の数は、２つでなくてもよく、さらに、コンテナ１１が設けられたくてもよい。
【００３４】
次に、第１実施形態に係る防災用品収容具１の作用について説明する。
【００３５】
まず、コンテナ１１に簡易トイレ、食料、ラジオ等の防災用品を収容し、このコンテナ１１を、自動販売機２に取り付けられた防災用品収容具１の内部に、開口部７から格納する。次に、扉８を閉じて、鍵取付部材１２を扉８の表面に近接させ、鍵取付部材１２の孔部１３に環状部材１０を挿通させる。この後、環状部材１０に鍵機構９を取り付けて施錠する。
【００３６】
災害が発生するまでの保管期間は、防災用品は防災用品収容具１の内部に保管される。防災用品収容具１の保守管理は、自動販売機２の保守管理とともに行うことで、効率的な管理が可能である。
【００３７】
防災用品は、コンテナ１１の内部に収納されているため、仮に防災用品収容具１の内部に水が浸入しても、水から防災用品を保護することができる。また、防災用品収容具１には、通気孔１５が設けられているため、内部の温度の上昇を低減させることができる。
【００３８】
災害が発生して停電すると、電源ケーブル１６による自動販売機２への電力の供給が停止する。電力供給が停止すると、制御手段６は、災害が発生したものと判断し、内部バッテリー５から電光掲示板４への電力供給を開始させる。さらに、制御手段６に電子データとして格納されている開錠符号が電光掲示板４に送信されて、開錠符号が表示される。
【００３９】
電光掲示板４に開錠符号が表示されると、被災者等は、この開錠符号を用いて鍵機構９を開錠し、扉８を開いてコンテナ１１を引き出して、内部に保管されていた防災用品を取り出すことができる。
【００４０】
第１実施形態に係る防災用品収容具１によれば、自動販売機２の上に箱体３が取り付けられるため、通常使用されない場所を有効に利用して防災用品を保管することができる。特に、避難場所となりえる公園等には自動販売機が設置されている場合が多いことから、自動販売機２の上に設置することの利点は大きい。また、自動販売機２とともに保守管理が可能であるため、効率のよい管理が可能となる。さらに、自動販売機２には、常に飲料が保管されていることから、自動販売機２に防災用品収容具１を取り付けることで、自動販売機２および防災用品収容具１の全体を１つの防災用品収容具として機能させることができる。
【００４１】
また、開錠符号を、電光掲示板４が設けられるため、災害が発生した際に開錠符号を視覚的に表示することができる。これにより、防災用品の保管期間には施錠された状態を保ち、災害が発生した際には、管理者が開錠できずとも、被災者等が防災用品収容具１を開錠できる。したがって、災害が発生する前の保管期間に、内部に保管されている防災用品を盗難等によって紛失することを予防できる。
【００４２】
また、内部バッテリー５が設けられるため、災害が発生して自動販売機２への電源供給が絶たれても、電光掲示板４を作動させることができる。
【００４３】
また、制御手段６が設けられるため、電源供給が絶たれたことから制御手段６によって災害の発生を判別し、電光掲示板４を作動させることができる。
【００４４】
＜第２実施形態＞
図７は、本発明の第２実施形態に係る防災用品収容具が搭載された自動販売機を表面上方から観察した斜視図である。なお、第１実施形態と同様の機能を有する要素には同一の符号を付し、重複する説明を省略する。
【００４５】
図７に示す本発明の第２実施形態に係る防災用品収容具２１は、第１実施形態に係る防災用品収容具１と同様に、自動販売機２の上に設置される箱体３と、符号表示手段としての電光掲示板４と、電光掲示板４へ電力を供給する内部バッテリー５と、内部バッテリー５を制御する制御手段６とを有している。第２実施形態に係る防災用品収容具２１は、さらに、インターネット経由で信号を受信する無線ＬＡＮ用の子機２２を有している。子機２２は、制御手段６に接続されており、インターネット経由で受信した信号を制御手段６に送信する。子機２２が無線で接続する親機としてのアクセスポイントには、公衆無線ＬＡＮのアクセスポイントを使用したり、または特定の親機を設けて使用することができる。
【００４６】
次に、第２実施形態に係る防災用品収容具２１の作用について説明する。
【００４７】
災害が発生すると、防災用品収容具２１の管理者は、無線ＬＡＮを利用してインターネット経由で制御手段６にアクセスする。この後、管理者は、制御手段６によって電光掲示板４への電力供給を開始させ、電光掲示板４に、制御手段６に電子データとして格納されている開錠符号を表示させる。なお、開錠符号は、制御手段６に格納されずに、インターネット経由で送信することもできる。
【００４８】
また、災害が発生して停電が発生する場合には、制御手段６により電力供給が絶たれたことを判別し、制御手段６、子機２２および電光掲示板４の電源を内部バッテリー５に切り換える。これにより、停電が発生しても、管理者が制御手段６にアクセスすることができる。なお、この際には、アクセスポイントの電源も確保されていることが必要となり、アクセスポイントにも内部バッテリー５が搭載されることが好ましい。なお、本実施形態は、停電の発生により災害の発生を判断するものではないため、かならずしも内部バッテリー５が設けられなくてもよい。
【００４９】
電光掲示板４に開錠符号が表示されると、被災者等は、この開錠符号を用いて鍵機構９を開錠し、扉８を開いてコンテナ１１を引き出して、内部に保管されていた防災用品を取り出すことができる。
【００５０】
第２実施形態に係る防災用品収容具２１によれば、管理者がインターネット経由でアクセスできるため、遠隔から複数の防災用品収容具２１を同時に管理して、開錠符号を提供できる。また、第２実施形態に係る防災用品収容具２１では、電力供給が絶たれる場合を災害の発生と判断するのではないため、災害が発生していないが電力供給が絶たれる場合に、開錠符号が表示されることを防止できる。
【００５１】
＜第３実施形態＞
図８は、本発明の第３実施形態に係る防災用品収容具が搭載された自動販売機を表面上方から観察した斜視図である。なお、第１実施形態と同様の機能を有する要素には同一の符号を付し、重複する説明を省略する。
【００５２】
本発明の第３実施形態に係る防災用品収容具３１は、図８に示すように、自動販売機２の上に設置されて扉３８が設けられる箱体３３と、鍵機構３９とを有している。第３実施形態に係る防災用品収容具３１は、第１実施形態および第２実施形態と異なり、符号表示手段が設けられない。
【００５３】
箱体３３は、第１実施形態の構造と同様であるが、扉３８の材料が異なる。すなわち、第３実施形態では、箱体３３はステンレスにより作製されるが、扉３８は樹脂である。扉３８は、アクリルやＰＥＴ等が適用可能であるが、他の樹脂であってもよい。
【００５４】
扉３８の環状部材１０には、鍵機構３９が取り付けられるが、鍵機構３９を開錠するための電光掲示板（符号表示手段）は設けられない。鍵機構３９は、第１実施形態と同様に開錠符号を入力することで開錠可能な符号錠でもよいが、これらに限定されず、例えば南京錠等であってもよい。
【００５５】
次に、第３実施形態に係る防災用品収容具３１の作用について説明する。
【００５６】
まず、コンテナ１１に簡易トイレ、食料、ラジオ等の防災用品を収容し、このコンテナ１１を、自動販売機２に取り付けられた防災用品収容具３１の内部に、開口部７から格納する。次に、扉３８を閉じて、鍵機構３９により扉３８を固定する。
【００５７】
災害が発生すると、被災者等は、扉３８を破壊してコンテナ１１を引き出して、内部に保管されている防災用品を取り出す。このとき、扉３８が樹脂製であるため、容易に破壊することができる。
【００５８】
第３実施形態に係る防災用品収容具３１によっても、通常使用されない自動販売機２の上を有効に利用して、防災用品を保管することができる。
【００５９】
＜第４実施形態＞
図９は、本発明の第４実施形態に係る防災用品収容具が搭載された自動販売機を表面上方から観察した斜視図、図１０は、同箱体の扉を開く際を示す斜視図である。なお、第１実施形態と同様の機能を有する要素には同一の符号を付し、重複する説明を省略する。
【００６０】
本発明の第４実施形態に係る防災用品収容具４１は、図９，１０に示すように、自動販売機２の上に設置される箱体４３を有している。第４実施形態に係る防災用品収容具４１は、第１実施形態および第２実施形態と異なり、符号表示手段および鍵機構が設けられない。
【００６１】
箱体４３は、自動販売機２の表面と一致する面に扉４８が設けられて開閉可能となっており、内部に防災用品を収容することができる。扉４８は、扉４８の下端が丁番等（不図示）によって箱体４３に回転可能に連結されており、扉４８の両側端と箱体４３の両側面の間には、互いに連結するためのパッチン錠４９が設けられている。なお、連結する手段は、パッチン錠４９に制限されず、他の異なる機構を適用してもよい。
【００６２】
次に、第４実施形態に係る防災用品収容具４１の作用について説明する。
【００６３】
まず、コンテナ１１に簡易トイレ、食料、ラジオ等の防災用品を収容し、このコンテナ１１を、自動販売機２に取り付けられた防災用品収容具４１の内部に、開口部から格納する。次に、扉４８を閉じて、パッチン錠４９により扉４８を固定する。
【００６４】
災害が発生すると、被災者等は、パッチン錠４９を開錠し、扉４８を開いてコンテナ１１を引き出して、内部に保管されている防災用品を取り出すことができる。
【００６５】
第４実施形態に係る防災用品収容具４１によっても、自動販売機２の上に箱体４３が取り付けられるため、通常使用されない場所を有効に利用して防災用品を保管することができる。
【００６６】
なお、本発明は上述した実施の形態に限定されるものではなく、特許請求の範囲の範囲内で種々改変することができる。例えば、符号表示手段として視覚的に開錠符号を表示する電光掲示板４を設けるのではなく、聴覚的に開錠符号を提供するスピーカを設けてもよい。また、第１実施形態において、自動販売機２への電源供給が絶たれた際に災害の発生を判断するのではなく、例えば地震計等を制御手段６に接続して、計測値が閾値以上となることで、災害の発生を判断してもよい。また、第２実施形態において、インターネットに接続するために無線ＬＡＮを用いるのではなく、有線を用いて接続してもよい。また、インターネットで信号を送信する際には、双方向通信であっても、一方向通信であってもよい。また、インターネット経由で送信される信号は、管理者から送信される信号でなくてもよく、例えばインターネット経由で提供される災害速報等の信号であってもよい。
【００６７】
また、図１１は、防災用品収容具が自動販売機の横に設置された例を示す斜視図である。図１１に示すように、防災用品を収容する箱体５３を、自動販売機２の横に設置することも可能であり、箱体の取付位置は自動販売機２の上に限定されない。
【符号の説明】
【００６８】
１，２１，３１，４１    防災用品収容具、
２    自動販売機、
３，３３，４３，５３    箱体、
４    電光掲示板（符号表示手段）、
５    内部バッテリー、
６    制御手段、
８，３８，４８    扉、
９，３９    鍵機構、
１６    電源ケーブル、
１７    表示用電源ケーブル、
２０    信号ケーブル、
２２    子機、
４９    パッチン錠。
【図１】
2010250390.tif 000003
【図２】
2010250390.tif 000004
【図３】
2010250390.tif 000005
【図４】
2010250390.tif 000006
【図５】
2010250390.tif 000007
【図６】
2010250390.tif 000008
【図７】
2010250390.tif 000009
【図８】
2010250390.tif 000010
【図９】
2010250390.tif 000011
【図１０】
2010250390.tif 000012
【図１１】
2010250390.tif 000013